(57)【要約】【課題】  セキュリティの観点から社外秘的な印刷ジョブを誰もがアクセス可能な１つの排紙トレイに排紙されること、及びネットワークに接続された複数ユーザーから一度に印刷ジョブがプリンタに集中してそれらの印刷ジョブが１つの排紙トレイに溜まってしまった場合、どれが自分の印刷したものかが識別できなくなってしまうという問題がある。【解決手段】  ユーザーがプリンタドライバ等を利用して印刷ジョブの指定個所に自身のＩＤ  Ｎｏ．情報を付加し、プリンタが印刷ジョブの指定個所にＩＤ  Ｎｏ．情報がある場合は特別排紙トレイに排紙し、ユーザーが印刷ジョブを取りにきた場合はユーザーのＩＤカード情報をプリンタが認識し、該当する特別排紙トレイをユーザーに示すことで確実に該当するユーザーが希望の印刷ジョブを受取れるようにする。【選択図】  図１
2006224514.tif 000002
【特許請求の範囲】
【請求項１】
プリンタに各種信号を送信する送信部と、プリンタからの信号を受信する受信部と、スイッチ及び表示部を備えたＩＤカードと、該ＩＤカードから送信される各種信号の受信部、自身の状態を報告する送信部及びオペレータパネルを備えたプリンタにおいて、ユーザーが印刷操作時にプリンタドライバなどで印刷ジョブにＩＤ  Ｎｏ．情報を付加する手段と、ユーザーのＩＤ  Ｎｏ．情報が付加された印刷ジョブを通常の排紙トレイとは別のＮ段で構成された特別排紙トレイに排紙する手段と、前記ＩＤカードにユーザーが印刷したジョブが前記特別排紙トレイに排紙されたことを知らせる手段と、ユーザーが前記特別排紙トレイにあるカードリーダに自身の前記ＩＤカードを近づける事で確実に該当するユーザーが印刷ジョブを取りにきた事を認識し、該当する前記特別排紙トレイに設けられたＬＥＤが点灯し、印刷ジョブをロックしているストッパを解除し、前記特別排紙トレイからユーザーが印刷したジョブを抜き取ることでユーザーのＩＤカードにジョブ受け取り済の信号を送信することを特徴とするプリンタ。
【発明の詳細な説明】
【技術分野】
【０００１】
本発明は、一般排紙トレイと特定のユーザーのみがアクセス可能な複数の特別排紙トレイを有するプリンタに関するものである。
【背景技術】
【０００２】
セキュリティの観点から、社外秘的な印刷ジョブを誰もがアクセス可能な１つの排紙トレイに排紙することに問題があった。またメインの排紙トレイを１つしか持たないネットワークに接続されたプリンタに複数のユーザーからの印刷ジョブが一度に集中した場合、それらの印刷ジョブが１つの排紙トレイにたまってしまい、どの印刷物がどのユーザーのものかを識別するのが非常に困難であった。
【０００３】
【特許文献１】特開２０００−０２０２６６号公報
【０００４】
【特許文献２】特開平０８−２２４９２２号公報
【発明の開示】
【発明が解決しようとする課題】
【０００５】
解決しようとする問題点は、セキュリティの観点から社外秘的な印刷ジョブを誰もがアクセス可能な１つの排紙トレイに排紙すること、及びネットワークに接続された複数ユーザーから一度に印刷ジョブがプリンタに集中した場合、それらの印刷ジョブが１つの排紙トレイに溜まってしまった場合、どれが自分の印刷したものかが識別できなくなってしまうことである。
【課題を解決するための手段】
【０００６】
ユーザーがプリンタドライバ等を利用して印刷ジョブの指定個所に自身のＩＤ  Ｎｏ．情報を付加し、プリンタが印刷ジョブの指定個所にＩＤ  Ｎｏ．情報がある場合は特別排紙トレイに排紙し、ユーザーが印刷ジョブを取りにきた場合はユーザーのＩＤカード情報をプリンタが認識し、該当する特別排紙トレイをユーザーに示すことで確実に該当するユーザーが希望の印刷ジョブを受取れるようにする。
【発明の効果】
【０００７】
本発明によれば、複数ユーザーが印刷ジョブを取りにきた場合でも確実にユーザーが印刷した該当する印刷ジョブを受け取れるようにすることでセキュリティ上にも有効な効果が得られる。また複数のユーザーからの印刷ジョブがプリンタに集中しても、どのジョブが各ユーザーのものかを混在することなく認識可能となる。
【発明を実施するための最良の形態】
【０００８】
以下に、本発明を実施例により説明する。
【実施例１】
【０００９】
図１は、本発明プリンタのブロック図を示す。１は携帯用ＩＤカード、２は送信アンテナ、３は受信アンテナ、４は送信部、５は受信部、６は制御部、７は表示部、８はスイッチ、９は受信アンテナ、１０は送信アンテナ、１１は受信部、１２は送信部、１３はネットワーク送受信部、１４はネットワーク、１５はパーソナルコンピュータ、１６は全体制御部、１７は排紙トレイ制御部、１８は一般排紙トレイ、１９はカードリーダ、２０は用紙センサー及びストッパ、２１は特別排紙トレイ、２２はＬＥＤ、２３は用紙センサー及びストッパ、２４は特別排紙トレイ、２５はＬＥＤ、２６は用紙センサー及びストッパ、２７は特別排紙トレイ、２８はＬＥＤ、２９は特別排紙トレイユニット、３０は排紙トレイ部、３１はプリンタである。
【００１０】
ユーザーがパーソナルコンピュータ１５より任意の文書等を印刷するとき、ユーザーが特別排紙トレイユニット２９より用紙を受取りたい場合に、パーソナルコンピュータ１５にあらかじめインストールされたプリンタドライバ等を使用して印刷したいジョブにユーザーのＩＤＮｏ．情報を付加する。通常、ＩＤＮｏ．情報はジョブ内の複数箇所に存在する場合も考慮し、指定の個所（例えば用紙ヘッダ部等）に付加するものとする。ここで、一般排紙トレイ１８で構わない場合は本ＩＤＮｏ．情報を付加しないで印刷することとする。以下は特別排紙トレイに排紙する場合の実施例である。
【００１１】
ネットワーク１４を介して印刷ジョブがプリンタ３１のネットワーク送受信部１３に送信され、本印刷データはその後全体制御部１６へ送信される。全体制御部１６にて受信したジョブの指定個所にユーザーＩＤＮｏ．情報が付加されているかを判断する。付加されていなければ一般排紙トレイ１８に排紙し、付加されている場合は特別排紙トレイユニット２９の各排紙トレイが１つ以上空いているかを排紙トレイ制御部１７に確認する。特別排紙トレイユニット２９の空き状況は常時、排紙トレイ制御部１７にて管理する。なお本実施例では特別排紙トレイユニット２９に設ける特別排紙トレイ、用紙センサー、ストッパ及びＬＥＤを３セットと仮定して説明する。場合により本セットはＮセット設けてもよい。
【００１２】
上記確認作業において、１つ以上特別排紙トレイが空いていなかった場合、全体制御部１６は送信部１２及び送信アンテナ１０を介し、携帯用ＩＤカード１へ「特別排紙トレイが混み合っています、一般排紙トレイへ排出しますか？“Ｙｅｓ”ｏｒ“Ｎｏ”」というメッセージ情報を送信する。本メッセージ情報を受信アンテナ３及び受信部５で受信した携帯用ＩＤカード１は制御部６にて本メッセージ情報を解析し表示部７にメッセージを表示させる。本メッセージに従い、ユーザーが”Ｙｅｓ”に該当する操作をスイッチ８にて実施した場合は、印刷ジョブは一般排紙トレイ１８へ排紙、”Ｎｏ”に該当する操作をスイッチ８にて実施した場合は再度、特別排紙トレイが１つ以上空いているかを確認する。
【００１３】
特別排紙トレイが１つ以上空いていた場合、空きの特別排紙トレイへ排出すると同時に排紙トレイ制御部１７は全体制御部１６へ印刷ジョブが特別排紙トレイに排紙されたことを報告する。本報告を受けた全体制御部１６は送信部１２に「印刷したジョブが特別排紙トレイへ排紙されました」というメッセージを送信し、送信アンテナ１０を介して携帯用ＩＤカード１にメッセージを送信する。本メッセージを受信アンテナ３を介して受信部５で受信し制御部６へ送信する。制御部６はプリンタ３１より送信されてきたメッセージを表示部７へ表示する。ユーザーは「印刷したジョブが特別排紙トレイへ排紙されました」というメッセージを確認しプリンタ３１へ印刷ジョブを取りにいく。なお、本実施例ではジョブが排紙された特別排紙トレイは特別排紙トレイ２１と仮定する。ここで、一般にプリンタ３１は複数特定のユーザーがネットワーク１４上で共有していることと、特別排紙トレイユニット内に設けられた特別排紙トレイの数は１〜５、多くても１０程であるため、ユーザーの印刷ジョブが特別排紙トレイに排紙されてから時間を計り、一定時間経過してもユーザーがジョブを受取りに来ない場合は一般排紙トレイ１８に排紙するものとする。本実施例では本時間を３０分とする。なお、本時間はユーザーが決められた範囲で設定可能なものとする。
【００１４】
特別排紙トレイ２１に印刷ジョブが排紙されてから３０分経過していない場合、ユーザーが携帯用ＩＤカード１をプリンタ３１の特別排紙トレイユニット２９にあるカードリーダ１９に近づけると携帯用ＩＤカード１にあらかじめプリントされたユーザーＩＤ情報がカードリーダ１９を介して、排紙トレイ制御部１７へ送信される。排紙トレイ制御部１７は携帯ＩＤカード１のユーザーＩＤ情報に該当する印刷ジョブが排紙された特別排紙トレイ２１に設けられたＬＥＤ２２を点灯させ、用紙センサー及びストッパ２０の用紙ストッパを解除する。ユーザーはＬＥＤ２２の点灯している特別排紙トレイ２１から自分の印刷したジョブを受取る。ユーザーがジョブを取り除いたかは用紙センサー及びストッパ２０の用紙センサーでチェックし排紙トレイ制御部１７へ報告する。排紙トレイ制御部１７は全体制御部１６へ印刷ジョブを該当するユーザーが受取ったことを報告する。本報告を受けた全体制御部１６は送信部１２に「印刷したジョブは貴ユーザーが受取りました。」というメッセージを送信し、送信アンテナ１０を介して携帯用ＩＤカード１にメッセージを送信する。本メッセージを受信アンテナ３を介して、受信部５で受信し制御部６へ送信する。制御部６はプリンタ３１より送信されてきたメッセージを表示部７へ表示する。ユーザーは「印刷したジョブは貴ユーザーが受取りました。」というメッセージを確認する。
【００１５】
次に、プリンタの処理について図２で説明する。ステップ１０１ではユーザーがパソコン上のプリンタドライバよりユーザーのＩＤＮｏ．情報を付加してジョブを印刷する。ステップ１０２では、ユーザーのＩＤＮｏ．情報が指定の個所に印刷されるようになっているかを判断する。指定個所に印刷されないと判断すれば、ステップ１０３を行い、ジョブは一般排紙トレイ１８へ排紙する。指定個所に印刷されると判断すれば、次にステップ１０４にて特別排紙トレイが１つ以上空いているかを判断する。１つ以上空いていないと判断すれば、ステップ１０５を行い、ユーザーの携帯ＩＤカード１へ「特別排紙トレイが混み合っています。一般排紙トレイ１８へ出力しますか？“Ｙｅｓ”ｏｒ“Ｎｏ”」と表示させる。ステップ１０６にてユーザーが携帯ＩＤカード１より”Ｙｅｓ”に相当する操作をすれば、ステップ１０７を行い一般排紙トレイ１８へジョブを排紙する。ステップ１０６にてユーザーが携帯ＩＤカード１より”Ｎｏ”に相当する操作をすれば、ステップ１０４にて再度特別排紙トレイの空き状況を判定する。
【００１６】
ステップ１０４にて特別排紙トレイが１つ以上空いていると判断すれば、ステップ１０８を行い、空きの特別排紙トレイへジョブを排紙し、同時にユーザーの携帯ＩＤカード１へ「印刷したジョブが特別排紙トレイに排紙されました」と表示させる。ステップ１０９にて特別排紙トレイへジョブが排紙されてから規定の時間以上経過したかを判定する。規定の時間以上経過したと判断すれば、ステップ１１０を行い、一般排紙トレイへ排紙し、同時にユーザーの携帯ＩＤカード１へ「規定時間を越えたため一般排紙トレイに排紙されました」と表示させる。規定の時間以内であれば、ステップ１１１にてユーザーが携帯ＩＤカード１をカードリーダ１９に近づけたかを判断する。近づけていないと判断すれば再度ステップ１０９にて規定の時間を経過していないかを判断する。携帯ＩＤカード１をカードリーダ１９に近づけたと判断すれば、ステップ１１２を行い、携帯ＩＤカード１のユーザーＩＤ情報を読み取り、該当するＮｏの特別排紙トレイのＬＥＤを点灯させ、用紙ストッパを解除する。
【００１７】
次に、ステップ１１３にてユーザーが印刷ジョブを取り除いたかを判断する。まだ取り除いていないと判断すれば、ステップ１１４にて規定時間（例えば３分間）経過したかを判断し、経過したと判断すれば、ステップ１１５を行い、一般排紙トレイ１８へ印刷ジョブを排紙し、同時にユーザーの携帯ＩＤカード１へ「規定時間を越えたため一般排紙トレイ１８に排紙されました」と表示させる。規定時間が経過していないと判断すれば、再度ステップ１１３にてユーザーが印刷ジョブを取り除いたかを判断する。取り除いたと判断すれば、ステップ１１６を行い、ユーザーの携帯ＩＤカードへ「印刷したジョブは貴ユーザーが受取りました。」と表示させる。
【００１８】
本発明は、家電製品全般に広く利用可能である。例えばＦＡＸ等では相手方よりＦＡＸが届いた場合に携帯ＩＤカードに知らせることで効率が図れる。またＡＶ機器などで例えば番組等の録画をしている場合、席を外してもＩＤカードを利用して現在の状況（例えば録画終了等）を確認が可能である。冷蔵庫の場合では、食品の賞味期限等の情報を冷蔵庫に入れるときに冷蔵庫が認識し期限が近づいたり、期限が切れたりした場合にユーザーのＩＤカードに知らせることが可能であると考えられる。
【図面の簡単な説明】
【００１９】
【図１】本発明の実施例を示すブロック図である。
【図２】本発明の実施例を示すフローチャートである。
【符号の説明】
【００２０】
１  携帯用ＩＤカード
２  送信アンテナ
３  送信アンテナ
４  送信部
５  受信部
６  制御部
７  表示部
８  スイッチ
９  受信アンテナ
１０  送信アンテナ
１１  受信部
１２  送信部
１３  ネットワーク送受信部
１４  ネットワーク
１５  パーソナルコンピュータ
１６  全体制御部
１７  排紙トレイ制御部
１８  一般排紙トレイ
１９  カードリーダ
２０  用紙センサー及びストッパ
２１  特別排紙トレイ
２２  ＬＥＤ
２３  用紙センサー及びストッパ
２４  特別排紙トレイ
２５  ＬＥＤ
２６  用紙センサー及びストッパ
２７  特別排紙トレイ
２８  ＬＥＤ
２９  特別排紙トレイユニット
３０  排紙トレイ部
３１  プリンタ
【図１】
2006224514.tif 000003
【図２】
2006224514.tif 000004